(57)【要約】【課題】ファーストフード食品の型くずれを容易に回避することができるファーストフード用包装材を提供する。【解決手段】ハンバーガーＨが第１袋状空間の最深部に突き当たったら、作業者は第３シート片２９を引き上げつつハンバーガーＨに目一杯に第３シート片２９を覆い被せる。その結果、ハンバーガーＨの包み込みはさらに補強されることができる。こうして作業者が第３シート片２９の第２縁２９ｂを摘み上げ主体シート片１２の第２面でハンバーガーＨを滑らせるだけで、ハンバーガーＨは第１シート片２３、第２シート片２５および第３シート片２９に包み込まれることができる。【選択図】図１１
2012218764.tif 000002
【特許請求の範囲】
【請求項１】
ファーストフード食品を受け止める受け止め域を一部に区画する主体シート片と、
前記主体シート片の縁から谷折りされて、前記受け止め域の一部に重なって第１深さの第１袋状空間を形成する第１シート片と、
前記第１袋状空間の開口で前記第１シート片の縁から山折りされて前記第１シート片の外面に重ねられ、その中間位置で谷折りされて前記第１シート片に重なる前記第１深さよりも浅い第２深さの第２袋状空間を形成する第２シート片と
を備えることを特徴とするファーストフード用包装材。
【請求項２】
請求項１に記載のファーストフード用包装材において、
前記第２袋状空間の開口で前記第２シート片の縁から山折りされて前記第２シート片の外面に重ねられる第３シート片をさらに備える
ことを特徴とするファーストフード用包装材。
【請求項３】
請求項２に記載のファーストフード用包装材において、
前記第３シート片は前記主体シート片の前記縁よりも外側にはみ出ている
ことを特徴とするファーストフード用包装材。
【請求項４】
請求項１〜３のいずれかに記載のファーストフード用包装材において、
前記第１袋状空間の形成にあたって前記主体シート片の前記縁から谷折りされて重ねられる前記第１シート片および前記主体シート片を相互に接着する１対の接着部は、前記主体シート片の前記縁で規定される折り返し線から、それぞれ前記主体シート片の両側縁に向かって前記折り返し線に対して所定の傾斜角で分岐する１対の分岐線に沿って延びる
ことを特徴とするファーストフード用包装材。
【請求項５】
請求項１〜３のいずれかに記載のファーストフード用包装材において、
前記第１袋状空間の形成にあたって前記主体シート片の前記縁から谷折りされて重ねられる前記第１シート片および前記主体シート片を相互に融着する第１融着部と、
前記第２袋状空間の形成にあたって前記中間位置で谷折り返されて重ねられる前記第２シート片同士を相互に融着する第２融着部とは、
前記主体シート片、前記第１シート片および前記第２シート片が順番に重ねられる際に相互に重なり合う
ことを特徴とするファーストフード用包装材。
【請求項６】
請求項１〜５のいずれかに記載のファーストフード用包装材の前記第１袋状空間にファーストフード食品を受け入れ、前記主体シート片、前記第１シート片および前記第２シート片で前記ファーストフード食品を包み込むことを特徴とするファーストフード。
【請求項７】
非融着面である第１面および裏側の融着面である第２面を有する素材片を第１谷折り線で折り返し、第２面同士を重ね合わせる工程と、
前記第１谷折り線で折り返されて形成される折り返し片を第１谷折り線に平行な第１山折り線で折り返し、第１面同士を重ね合わせる工程と、
前記第１山折り線で折り返されて形成される折り返し片を前記第１山折り線に平行で前記第１谷折り線よりも前記第１山折り線に近い第２谷折り線で折り返し、第２面同士を重ね合わせる工程と、
前記第２谷折り線で折り返されて形成される折り返し片を前記第２谷折り線に平行で前記第１山折り線よりも前記第２谷折り線に近い第２山折り線で折り返し、第１面同士を重ね合わせる工程と、
前記第１谷折り線、前記第１山折り線、前記第２谷折り線および前記第２山折り線で折り返されて重ねられた素材片に、それぞれ前記素材片の両側縁に向かって前記第１谷折り線に対して所定の傾斜角で前記第１谷折り線から分岐する１対の分岐線に沿って加熱治具を当て、重ねられた第２面同士の間で融着を確立する工程と
を備えることを特徴とするファーストフード用包装材の製造方法。
【発明の詳細な説明】
【技術分野】
【０００１】
本発明は例えばハンバーガーその他のファーストフード並びにファーストフード食品用の包装材およびその製造方法に関する。なお、以下の明細書および特許請求の範囲を通じて、「シート片」には、紙や樹脂といった素材の種類に関係なく、対象物を包み込むことができる程度の可撓性を有するあらゆる薄膜片が含まれることができる。
【背景技術】
【０００２】
例えば多量にソース分を含むハンバーガーの包装にあたって袋型の包装材が用いられる。この包装材は１対の矩形の紙片から構成される。重ね合わせられる紙片同士が３辺で張り合わせられる。こうした袋型の包装材によれば、ソースが外側に漏れ出ることは防止されることができる（特許文献１〜３）。
【先行技術文献】
【特許文献】
【０００３】
【特許文献１】特開２０１０−２４１４３９号公報
【特許文献２】特開平１０−１９３５１８号公報
【特許文献３】特許第３６０７７５０号
【発明の概要】
【発明が解決しようとする課題】
【０００４】
しかしながら、こうした包装材では紙片の１辺同士で開口が縁取られる。収容空間の奥行きは深い。開口から収容空間の奥までハンバーガーを滑らせると、包装材の内面との摩擦でハンバーガーのバンズはずれやすい。ハンバーガーは型くずれしてしまう。こうした型くずれの回避にあたって作業者は気を遣う。その結果、作業効率は悪化してしまう。
【０００５】
その他、ある種の包装材では、重ね合わせられる紙片同士が隣接する２辺で張り合わせられる。重なる紙片の縁同士が融着されることから、袋にマチが付けられていない。しかも、角を挟んで隣接する２片同士が融着されることから、袋の底が平らになることができない。したがって、ハンバーガーの側面と袋の底との間に空間が形成されてしまう。ソースが潤滑剤として機能してしまい、飲食者がハンバーガーを噛むたびにバンズ同士の間からその空間に向かって具材が滑り落ちてしまう。
【０００６】
本発明のいくつかの態様によれば、ファーストフード食品の型くずれを容易に回避することができるファーストフード用包装材を提供することができる。本発明の他の態様によれば、そういったファーストフード包装材で包装されて提供されるファーストフードおよびファーストフード用包装材の製造方法を提供することができる。
【課題を解決するための手段】
【０００７】
本発明の第１の形態によれば、ファーストフード食品を受け止める受け止め域を一部に区画する主体シート片と、前記主体シート片の縁から谷折りされて、前記受け止め域の一部に重なって第１深さの第１袋状空間を形成する第１シート片と、前記第１袋状空間の開口で前記第１シート片の縁から山折りされて前記第１シート片の外面に重ねられ、その中間位置で谷折りされて前記第１シート片に重なる前記第１深さよりも浅い第２深さの第２袋状空間を形成する第２シート片とを備えるファーストフード用包装材が提供される。
【０００８】
こういったファーストフード用包装材（以下「包装材」という）はファーストフード食品（以下「食品」という）の包装にあたって用いられる。包装にあたって食品は第１シート片から外れた位置で受け止め域に置かれる。第２シート片が主体シート片から離れる方向に引き上げられると、第１袋状空間の体積が拡大して食品収容空間を形成する。作業者は食品を滑らせて第１袋状空間による食品収容空間に進入させることができる。このとき、第１袋状空間の深さが食品の大きさに比べて小さく設定されれば、食品は部分的にしか第１袋状空間に進入しない。食品が完全に袋状空間に押し込まれる場合に比べて、食品の型くずれは容易に防止されることができる。さらに、中間位置で折り畳まれた第２シート片が第１シート片から離れる方向に引き上げられると、第２シート片が大きく展開する。その結果、第２袋状空間の第２深さ以上の長さの第２シート片が第１袋状空間の第１深さの第１シート片と連続平面を形成する。そのため、第１および第２シート片が主シート片と対向して形成される空間を食品収容空間とすることができ、食品収容空間のさらなる増大に寄与することから、食品は包装材で十分に包み込まれることができる。
【０００９】
食品の飲食時、食品は部分的に少なくとも第１袋状空間内に収まったまま露出することができる。こうして食品は第１袋状空間に保持されることから、例えば重力の働きで食品から流動体が流れ出しても、そうした流動体は第１袋状空間内に保持されることができる。流動体は外側に漏れ出てこない。飲食者は流動体の漏出を気にせずに食品を食すことができる。
【００１０】
包装材は、前記第２袋状空間の開口で前記第２シート片の縁から山折りされて前記第２シート片の外面に重ねられる第３シート片をさらに備えてもよい。第３シート片が第２シート片から離れる方向に引き上げられると、第１、第２および第３シート片が主シート片と対向して形成される空間を食品収容空間とすることができ、食品収容空間のさらなる増大に寄与することから、食品の包み込みはさらに補強されることができる。
【００１１】
前記第３シート片は前記主体シート片の前記縁よりも外側にはみ出させることができる。第３シート片は主体シート片の外側にはみ出ることから、ファーストフード食品の包装にあたって作業者は簡単に第３シート片の縁を掴み上げることができる。作業効率は高められる。
【００１２】
この包装材では、前記第１深さの前記第１袋状空間の形成にあたって前記主体シート片の前記縁から谷折りされて重ねられる前記第１シート片および前記主体シート片を相互に接着する１対の接着部は、前記主体シート片の前記縁で規定される折り返し線から、それぞれ前記主体シート片の両側縁に向かって前記折り返し線に対して所定の傾斜角で分岐する１対の分岐線に沿って延びればよい。
【００１３】
こうした構造によれば、主体シート片に対して第１シート片が展開されると、一対の接着部の働きで第１袋状空間は船底形に形作られる。こうして主体シート片および第１シート片は食品の側面でマチを形成する。したがって、包装材は食品の側面に満遍なく接触することができる。食品の側面と包装材との間で空間の形成が防止される。飲食者は包装材の外側から安定した状態で食品を掴むことができる。空間がないことから、食品の位置は安定する。同時に、飲食者が包装材の上から食品を押さえても、食品の側面から具材が滑り落ちることは防止されることができる。
【００１４】
包装材では、前記第１袋状空間の形成にあたって前記主体シート片の前記縁から谷折りされて重ねられる前記第１シート片および前記主体シート片を相互に融着する第１融着部と、前記第２袋状空間の形成にあたって前記中間位置で谷折りされて重ねられる前記第２シート片同士を相互に融着する第２融着部とは、主体シート片、第１シート片および第２シート片が順番に重ねられる際に相互に重なり合ってもよい。
【００１５】
こうした構成によれば、主体シート片、第１シート片および第２シート片が重ねられた際に１つの加熱治具（例えばホットプレス）で第１融着部および第２融着部は同時に加熱されることができる。したがって、包装材の製造工程は簡素化されることができる。包装材の製造コストは低減されることができる。
【００１６】
ファーストフードは、以上のような包装材と、包装材の前記第１袋状空間に受け入れられる食品とを備えればよい。食品は、前記主体シート片、前記第１シート片および前記第２シート片で包み込まれればよい。
【００１７】
本発明の第２の形態によれば、非融着面である第１面および裏側の融着面である第２面を有する素材片を第１谷折り線で折り返し、第２面同士を重ね合わせる工程と、前記第１谷折り線で折り返されて形成される折り返し片を第１谷折り線に平行な第１山折り線で折り返し、第１面同士を重ね合わせる工程と、前記第１山折り線で折り返されて形成される折り返し片を前記第１山折り線に平行で前記第１谷折り線よりも前記第１山折り線に近い第２谷折り線で折り返し、第２面同士を重ね合わせる工程と、前記第２谷折り線で折り返されて形成される折り返し片を前記第２谷折り線に平行で前記第１山折り線よりも前記第２谷折り線に近い第２山折り線で折り返し、第１面同士を重ね合わせる工程と、前記第１谷折り線、前記第１山折り線、前記第２谷折り線および前記第２山折り線で折り返されて重ねられた素材片に、それぞれ前記素材片の両側縁に向かって前記第１谷折り線に対して所定の傾斜角で前記第１谷折り線から分岐する１対の分岐線に沿って加熱治具を当て、重ねられた第２面同士の間で融着を確立する工程とを備える包装材の製造方法が提供される。こういった包装材の製造方法によれば、前述のような包装材は製造されることができる。
【発明の効果】
【００１８】
以上のように本発明によれば、ファーストフード食品の型くずれは容易に回避されることができる。
【図面の簡単な説明】
【００１９】
【図１】ファーストフード用包装材（以下「包装材」という）の正面図、平面図、左側面図、右側面図および底面図を示す。
【図２】包装材の背面図を示す。
【図３】包装材の拡大部分斜視図である。
【図４】第１袋状空間を概略的に示す斜視図である。
【図５】主体シート片およびそれに重ねられる第１シート片を示す背面図である。
【図６】第２袋状空間を概略的に示す斜視図である。
【図７】主体シート片およびそれに重ねられる第１シート片および第２シート片を示す背面図である。
【図８】主体シート片、第１シート片、第２シート片および第３シート片の素材の拡大断面図である。
【図９】ハンバーガーを受け止める包装材を示す斜視図である。
【図１０】第１袋状空間に部分的にハンバーガーを受け入れた包装材を概略的に示す斜視図である。
【図１１】第１シート片、第２シート片および第３シート片でハンバーガーを覆った包装材を概略的に示す斜視図である。
【図１２】ハンバーガーの包装にあたって二つ折りされた包装材を概略的に示す斜視図である。
【図１３】ハンバーガーの包装にあたって三つ折りされた包装材を概略的に示す斜視図である。
【図１４】ハンバーガーの摂取にあたって包装を解いた包装材を概略的に示す斜視図である。
【図１５】素材シート片を概略的に示す斜視図である。
【図１６】第１谷折り線で折り返された素材シート片を概略的に示す斜視図である。
【図１７】第１山折り線で折り返された素材シート片を概略的に示す斜視図である。
【図１８】第２谷折り線で折り返された素材シート片を概略的に示す斜視図である。
【図１９】第２山折り線で折り返された素材シート片を概略的に示す斜視図である。
【図２０】加熱位置を示す素材シート片の背面図である。
【発明を実施するための形態】
【００２０】
以下、添付図面を参照しつつ本発明の一実施形態を説明する。
【００２１】
図１はファーストフード用包装材（以下「包装材」という）を概略的に示す。包装材１１は１枚の主体シート片１２を備える。主体シート片１２は例えば薄い可撓性の素材片から形成される。素材片の詳細は後述される。図１には主体シート片１２の第１面が示される。主体シート片１２の第１面には例えば模様や文字が印刷されてもよい。
【００２２】
主体シート片１２は矩形に形成される。矩形の第１辺１３ａは第１直線１４で仕切られる。第１辺１３ａに直交する第２辺１３ｂおよび第３辺１３ｃすなわち両側縁は第１直線１４に直交する第２直線１５および第３直線１６でそれぞれ仕切られる。第１辺１３ａに向き合う第４辺１３ｄは第１直線１４に平行に延びる第４直線１７で仕切られる。
【００２３】
図２には主体シート片１２の第２面が示される。第２面は第１面の裏面に相当する。主体シート片１２は受け止め域１８を一部に区画する。受け止め域１８は、後述されるように、ファーストフード食品を受け止める。受け止め域１８の区画にあたって例えば主体シート片１２は６等分される。６等分にあたって第１直線１４および第４直線１７に平行に第５直線１９が描かれればよい。第５直線１９は第２辺１３ｂおよび第３辺１３ｃをそれぞれ二等分する。同様に、第２直線１５および第３直線１６に平行に第６直線２１および第７直線２２が描かれればよい。第６直線２１および第７直線２２は第１辺１３ａおよび第４辺１３ｄを三等分する。受け止め域１８は第４直線１７、第５直線１９、第６直線２１および第７直線２２で仕切られる。ただし、受け止め域１８はファーストフード食品の大きさや形状に応じて適宜に調整されればよい。図中、受け止め域１８の図示にあたって受け止め域１８にはハッチングが施される。このハッチングは図面の表現にあたって用いられるものであって主体シート片１２そのものに描かれるわけではない。
【００２４】
図３を併せて参照し、主体シート片１２の縁すなわち第４辺１３ｄから第１シート片２３が折り返される。第１シート片２３は例えば主体シート片１２に連続すればよい。第１シート片２３は主体シート片１２の第２面に重ねられる。第１シート片２３は第４直線１７および第８直線２４で仕切られる。第１シート片２３の第１縁２３ａは第４直線１７で規定される。第１シート片２３の第２縁２３ｂは第８直線２４で規定される。第４直線１７は、主体シート片１２の縁で規定される折り返し線に相当する。第８直線２４は第４直線１７および第５直線１９の間で第４直線１７に平行に設定される。第８直線２４の位置は例えばファーストフード食品の輪郭や厚みに応じて適宜に調整されればよい。その他、こうした折り返しに代えて、第１シート片２３の第１縁２３ａと主体シート片１２の第４辺１３ｄとがそれらの線方向に途切れなく融着されてもよい。
【００２５】
第１シート片２３の第２縁２３ｂから第２シート片２５は折り返される。第２シート片２５は例えば第１シート片２３に連続すればよい。第２シート片２５は第１シート片２３の外面に重ねられる。第２シート片２５は中間位置で折り返される。こうして第２シート片２５同士は重ねられる。第２シート片２５は第８直線２４および第９直線２６で仕切られる。第２シート片２５の第１縁２５ａは第８直線２４で規定される。第２シート片２５の第２縁２５ｂは第９直線２６で規定される。中間位置の折り返し線２７は第１０直線２８で規定される。第１０直線２８は第８直線２４および第４直線１７の間で第８直線２４に平行に設定される。第９直線２６は第８直線２４および第１０直線２８の間で第８直線２４に平行に設定される。その他、折り返しに代えて、第２シート片２５の第１縁２５ａと第１シート片２３の第２縁２３ｂとはそれらの線方向に途切れなく融着されてもよく、中間位置の折り返しに代えて、当該折り返し位置で分割された第２シート片２５が中間位置で相互に融着されてもよい。
【００２６】
第２シート片２５の第２縁２５ｂから第３シート片２９は折り返される。第３シート片２９は例えば第２シート片２５に連続すればよい。第３シート片２９は第２シート片２５の外面に重ねられる。第３シート片２９は第９直線２６および第１１直線３１で仕切られる。第３シート片２９の第１縁２９ａは第９直線２６で規定される。第３シート片２９の第２縁２９ｂは第１１直線３１で規定される。第３シート片２９の第２縁２９ｂは主体シート片１２の縁よりも外側に広がる。すなわち、第１１直線３１は主体シート片１２の外側に設定される。
【００２７】
図４に示されるように、主体シート片１２および第１シート片２３は２筋の第１接着域３２で相互に接着される。接着にあたって融着が用いられる。個々の第１接着域３２は主体シート片１２の縁（第４辺１４ｄ）から分岐して第１シート片２３の第２縁２３ｂに至る。こうして２つの第１接着域３２が主体シート片１２の縁から連続することから、主体シート片１２および主体シート片１２の縁から折り返される第１シート片２３の間に第１深さの第１袋状空間３３が形成される。第１袋状空間３３の開口は第１シート片２３の第２縁２３ｂで縁取られる。図５に示されるように、第１深さＤ１は第４直線１７および第８直線２４の距離に相当する。第１袋状空間３３は受け止め域１８の一部のみに重なる。
【００２８】
個々の第１接着域３２は、第４直線１７および第８直線２４に交差する１対の第１２直線３４に沿って途切れなく形成される。第４直線１７から遠ざかるにつれて第１２直線３４同士の間隔が広がるように、第１２直線３４は所定の傾斜角αで第４直線１７から分岐して主体シート片１２の両側縁すなわち第２直線１５および第３直線１６に向かう。傾斜角αは好ましくは例えば６０度に設定されればよい。
【００２９】
図６に示されるように、中間位置で折り返されて重ねられる第２シート片２５同士は２筋の第２接着域３５で相互に接着される。接着にあたって融着が用いられる。個々の第２接着域３５は中間位置の折り返し線から分岐して第２シート片２５の第２縁２５ｂに至る。こうして２つの第２接着域３５が折り返し線２７から連続することから、中間位置で折り返される第２シート片２５同士の間に第２深さの第２袋状空間３６が形成される。第２袋状空間３６の開口は第２シート片２５の第２縁２５ｂで縁取られる。図７に示されるように、第２深さＤ２は第９直線２６および第１０直線２８の距離に相当する。第２深さＤ２は第１深さＤ１よりも浅く設定される。
【００３０】
個々の第２接着域３５は第１０直線２８および第９直線２６の間で第１２直線３４に沿って途切れなく形成される。したがって、第１０直線２８から遠ざかるにつれて第２接着域３５同士の間隔は広がる。しかも、個々の第２接着域３５は対応の第１接着域３２に重なる。
【００３１】
例えば図８に示されるように、主体シート片１２、第１シート片２３、第２シート片２５および第３シート片２９は、例えば加工紙３７から形成される。加工紙３７は紙と熱可塑性樹脂膜との積層体から形成される。ここでは、１対の可撓性の低密度ポリエチレン薄膜３８ａ、３８ｂの間に吸収紙３９が挟み込まれる。低密度ポリエチレン薄膜３８ａ、３８ｂの膜厚は例えば１０μｍ程度に設定されればよい。吸収紙３９の厚みは例えば１５ｇｓｍ程度に設定されればよい。その上で、低密度ポリエチレン薄膜３８ｂの外面には薄紙４１が積層される。薄紙４１の厚みは例えば２１ｇｓｍ程度に設定されればよい。薄紙４１の外面は主体シート片１２の第１面として働く。低密度ポリエチレン薄膜３８ａの外面は主体シート片１２の第２面として働く。こうした加工紙３７は水分や油分といった液体の透過を防止することができる。第２面として働く低密度ポリエチレン薄膜３８ａはポリプロピレン（ＰＰ）のスパンボンド不織布といった熱融着可能な素材で置き換えられてもよい。加えて、低密度ポリエチレン薄膜３８ｂに代えてその他の素材が用いられてもよい。その他、こうした加工紙３７に代えて耐油紙にポリプロピレンのスパンボンド不織布が張り合わせられたものが用いられてもよい。耐油紙の厚みは例えば２０〜８０ｇｓｍ程度に設定されればよい。不織布の膜厚は例えば１０〜１００ｇｓｍ程度に設定されればよい。こうした素材によれば、油分の滲みは防止されると同時に、水蒸気の透過は確保されることができる。
【００３２】
次に、包装材１１の使用方法を簡単に説明する。包装材１１は例えばハンバーガーの包装にあたって用いられる。まず、図９に示されるように、調理台や作業台に包装材１１が広げられる。主体シート片１２の第２面が上向きになるように包装材１１は置かれる。作業者は受け止め域１８にハンバーガーＨを置く。ここでは、ハンバーガーＨは、第１シート片２３に隣接する位置で受け止め域１８に配置されればよい。
【００３３】
続いて作業者は第３シート片２９の第２縁２９ｂを引き上げる。第３シート片２９は主体シート片１２の外側にはみ出ることから、作業者は簡単に第３シート片２９の第２縁２９ｂを掴み上げることができる。その結果、作業効率は高められる。こうして第２縁２９ｂが引き上げられると、図１０に示されるように、第２シート片２５は第１シート片２３に対して融着されずに第１縁２５ａで連続することから、第２シート片２５および第３シート片２９が立ち上がる。
【００３４】
さらに第３シート片２９が引き上げられると、第１袋状空間３３の開口が開く。作業者はハンバーガーＨを滑らせて第１袋状空間３３内にハンバーガーＨを進入させる。作業者は、ハンバーガーＨが第１袋状空間３３の最深部に突き当たるまで、ハンバーガーＨを進入させ続ける。ここでは、図１０に示されるように、ハンバーガーＨの大きさに比べて第１袋状空間３３の第１深さＤ１は小さく設定されることから、ハンバーガーＨは部分的にしか第１袋状空間３３に進入しない。ハンバーガーＨが開口から完全に袋状空間に押し込まれる場合に比べて、ハンバーガーＨの型くずれは簡単に防止されることができる。
【００３５】
ハンバーガーＨが第１袋状空間３３の最深部に突き当たると、折り畳まれた第１シート片２３と主体シート片１２とは第１縁２３ａおよび第４辺１３ｄの両側で大きく展開される。同時に、折り畳まれた第２シート片２５は折り返し線２７の両側で大きく展開される。その一方で、第１接着域３２および第２接着域３５は主体シート片１２および第１シート片２３の重なりと折り返される第２シート片２５同士の重なりを拘束し続ける。その結果、第１袋状空間３３と第２袋状空間３６とが１つの空間に連続して空間の奥行きが増大する。収容空間は増大する。ハンバーガーＨは第１シート片２３および第２シート片２５で十分に包み込まれることができる。
【００３６】
図１１に示されるように、ハンバーガーＨが第１袋状空間３３の最深部に突き当たったら、作業者は第３シート片２９を引き上げつつハンバーガーＨに目一杯に第３シート片２９を覆い被せる。その結果、ハンバーガーＨの包み込みはさらに補強されることができる。こうして作業者が第３シート片２９の第２縁２９ｂを摘み上げ主体シート片１２の第２面でハンバーガーＨを滑らせるだけで、ハンバーガーＨは第１シート片２３、第２シート片２５および第３シート片２９に包み込まれることができる。
【００３７】
その後、図１２に示されるように、主体シート片１２は第５直線１９に沿って折り畳まれる。続いて、図１３に示されるように、主体シート片１２は第６直線２１および第７直線２２で折り畳まれる。こうしてハンバーガーＨは包装材１１で完全に包み込まれる。ファーストフードＦとしての商品が完成する。
【００３８】
飲食者は、例えば図１４に示されるように、包装材１１の包みを解いてハンバーガーＨにかじりつくことができる。このとき、第３シート片２９は第１縁２９ａ（第２シート片２５の第２縁２５ｂに相当）で折り返されればよく、主体シート片１２も第１袋状空間３３の開口付近で外側に折り返されればよい。ハンバーガーＨは部分的に第１袋状空間３３内に収まったまま露出する。こうしてハンバーガーＨは第１袋状空間３３に保持されることから、例えば重力の働きでハンバーガーＨからソースその他の流動体が流れ出しても、そうした流動体は第１袋状空間３３内に保持されることができる。流動体は外側に漏れ出てこない。飲食者は流動体の漏出を気にせずにハンバーガーＨを食すことができる。
【００３９】
主体シート片１２に対して第１シート片２３が展開されると、第１接着域３２の働きで第１袋状空間３３は船底形に形作られる。こうして主体シート片１２および第１シート片２３はハンバーガーＨの側面でマチを形成する。したがって、包装材１１はハンバーガーの側面に満遍なく接触することができる。ハンバーガーＨの側面と包装材１１との間で空間の形成が防止される。飲食者は包装材１１の外側から安定した状態でハンバーガーＨを掴むことができる。空間がないことから、ハンバーガーＨの位置は安定する。同時に、飲食者が包装材１１の上からハンバーガーＨを押さえても、ハンバーガーＨの側面からミートといった具材が滑り落ちることは防止されることができる。
【００４０】
なお、主体シート片１２、第１シート片２３、第２シート片２５および第３シート片２９に加工紙３７に代えて耐油紙にポリプロピレンのスパンボンド不織布が張り合わせられたものが用いられる場合には、油分は滲まずに水分は蒸発することができる。その結果、例えば電子レンジでハンバーガーＨが温め直されても、ハンバーガーＨはべたつかず、飲食者は作りたてのおいしさを堪能することができる。
【００４１】
次に包装材１１の製造方法を簡単に説明する。まず、図１５に示されるように、１枚の素材シート片４３が用意される。素材シート片４３は前述の加工紙３７の枚葉紙で形成される。素材シート片４３の大きさは包装材１１で包み込まれるファーストフード食品の大きさに応じて設定される。加工紙３７の薄紙４１は素材シート片の第１面となる。加工紙３７の低密度ポリエチレン薄膜３８ａは第１面の裏面すなわち第２面となる。第２面同士は融着することができる。第１面同士は融着しない。第１面には予め文字や模様が印刷される。
【００４２】
第２面すなわち薄紙４１側の表面が上向きになるように素材シート片４３は作業台その他の平坦面上に置かれる。素材シート片４３の第１縁４４ａは主体シート片１２の第１辺１３ａに対応する。第１縁４４ａは第１直線１４で仕切られる。素材シート片４３の第２縁４４ｂおよび第３縁４４ｃは第２直線１５および第３直線１６で仕切られる。第１縁４４ａに向き合う第４縁４４ｄは第３シート片２９の第２縁２９ｂに対応する。
【００４３】
素材シート片４３は折り畳まれる。まず、図１６に示されるように、素材シート片４３は第１谷折り線４５で折り返される。第１谷折り線４５は第４直線１７に相当する。第２面同士は重ね合わせられる。こうして主体シート片１２の縁すなわち第４辺１３ｄは形成される。素材シート片４３の一部は第１谷折り線４５で折り返されて折り返し片４６を形成する。
【００４４】
次に、図１７に示されるように、折り返し片４６は第１山折り線４７で折り返される。第１山折り線４７は第１谷折り線４５に平行に設定される。第１山折り線４７は第８直線２４に相当する。第１面同士は重ね合わせられる。こうして第１シート片２３の第２縁２３ｂが形成される。折り返し片４６の一部は第１山折り線４７で折り返されて折り返し片４８を形成する。
【００４５】
続いて、図１８に示されるように、折り返し片４８は第２谷折り線４９で折り返される。第２谷折り線４９は第１山折り線４７に平行に設定される。第２谷折り線４９は第１谷折り線４５よりも第１山折り線４７に近い位置に配置される。第２谷折り線４９は第１０直線２８に相当する。第２面同士は重ね合わせられる。こうして第２シート片２３の折り返し線２７が形成される。折り返し片４８の一部は第２谷折り線４９で折り返されて折り返し片５１を形成する。
【００４６】
続いて、図１９に示されるように、折り返し片５１は第２山折り線５２で折り返される。第２山折り線５２は第２谷折り線４９に平行に設定される。第２山折り線５２は第１山折り線４７よりも第２谷折り線５１に近い位置に配置される。第２山折り線５２は第９直線２６に相当する。第１面同士は重ね合わせられる。こうして第２シート片２５の第２縁２５ｂが形成される。折り返し片５１の一部は第２山折り線５２で折り返されて折り返し片すなわち第３シート片２９を形成する。素材シート片４３の第４縁４４ｄは主体シート片１２の縁（第１シート片２３の第１縁２３ａ）よりも外側にはみ出す。
【００４７】
こうして折り畳まれた素材シート片４３に加熱治具（例えばホットプレス）が押し当てられる。図２０に示されるように、加熱治具は長尺の平坦面５４を有する。加熱治具の適用に先立って素材シート片４３は裏返される。折り畳まれた素材シート片４３は加熱治具の平坦面５４と作業台の平坦面との間に挟まれる。加熱治具の平坦面５４は、第１谷折り線４５から分岐する１対の分岐線５５に沿って位置決めされる。分岐線５５は第１２直線３４に相当する。第１谷折り線４５から遠ざかるにつれて分岐線５５同士の間隔が広がるように、分岐線５５は所定の傾斜角αで第１谷折り線４５から分岐して素材シート片４３の両側縁すなわち第２直線１５および第３直線１６に向かう。傾斜角αは好ましくは例えば６０度に設定されればよい。加熱治具の平坦面５４から素材シート片４３に熱エネルギーが加えられる。熱エネルギーの付与に応じて第２面同士の間で融着は確立される。こうして第１接着域３２および第２接着域３５は形成される。包装材１１の製造は終了する。
【００４８】
なお、以上の説明では、第１直線〜第１２直線１４〜１７、１９、２１、２２、２４、２６、２８、３１、３４は形状の規定にあたって利用される仮想線に過ぎない。包装材１１は、前述のハンバーガーのほか、サンドイッチやおにぎりといったファーストフード食品の包装にあたって利用されることができる。加えて、第１接着域３２および第２接着域３５の形成にあたって、前述のように加工紙３７の熱可塑性樹脂膜の熱溶着が用いられてもよく、接着剤による接着が用いられてもよい。
【符号の説明】
【００４９】
１１  ファーストフード用包装材、１２  主体シート片、１３ｄ  主体シート片の縁（第４辺）、１８  受け止め域、２３  第１シート片、２３ｂ  第１シート片の縁（第２縁）、２５  第２シート片、２５ｂ  第２シート片の縁（第２縁）、２９  第３シート片、３２  接着部（第１融着部）、３３  第１袋状空間、３４  分岐線（第１２直線）、３５  第２融着部、３６  第２袋状空間、４３  素材片（素材シート片）、４５  第１谷折り線、４６  折り返し片、４７  第１山折り線、４８  折り返し片、４９  第２谷折り線、５１  折り返し片、５２  第２山折り線、５５  分岐線、５４  加熱治具（の平坦面）、Ｄ１  第１深さ、Ｄ２  第２深さ、Ｆ  ファーストフード、Ｈ  ファーストフード食品としてのハンバーガー、α  傾斜角。
【図１】
2012218764.tif 000003
【図２】
2012218764.tif 000004
【図３】
2012218764.tif 000005
【図４】
2012218764.tif 000006
【図５】
2012218764.tif 000007
【図６】
2012218764.tif 000008
【図７】
2012218764.tif 000009
【図８】
2012218764.tif 000010
【図９】
2012218764.tif 000011
【図１０】
2012218764.tif 000012
【図１１】
2012218764.tif 000013
【図１２】
2012218764.tif 000014
【図１３】
2012218764.tif 000015
【図１４】
2012218764.tif 000016
【図１５】
2012218764.tif 000017
【図１６】
2012218764.tif 000018
【図１７】
2012218764.tif 000019
【図１８】
2012218764.tif 000020
【図１９】
2012218764.tif 000021
【図２０】
2012218764.tif 000022